(57)【要約】【課題】耐圧性能及び振動吸収性に優れ、ホース長の短尺化が可能な耐圧振動吸収ホースを提供する。【解決手段】蛇腹部を有する筒状の内側ゴム層１６の外面に補強糸を蛇腹形状に沿って編組し、これによって蛇腹形状に対応した成形形状を有する補強層１８を積層する。この補強層１８は、補強糸をブレード編組したものとなすことができ、そしてこの補強層１８の更に外側には最外層としての外側ゴム層２０をカバー層として積層しておく。【選択図】図１
2005315394.tif 000002
【特許請求の範囲】
【請求項１】
蛇腹形状を有する筒状のゴム層の外面側に、補強糸を前記蛇腹形状に沿って編組し、前記蛇腹形状に対応した成形形状を有する耐圧用補強層を積層することにより構成される耐圧振動吸収ホース。
【請求項２】
前記耐圧用補強層は、前記補強糸をブレード編組して形成したものである請求項１に記載の耐圧振動吸収ホース。
【請求項３】
前記耐圧用補強層は、前記補強糸が隙間なく編組されたことにより、前記ゴム層が見えないように形成されている請求項１に記載の耐圧振動吸収ホース。
【請求項４】
前記耐圧用補強層の外側に更にカバー層が積層されている請求項１乃至３の何れかに記載の耐圧振動吸収ホース。
【請求項５】
前記耐圧用補強層の外側に積層された別の補強層をさらに有し、前記別の補強層及び前記耐圧用補強層の間には、前記蛇腹形状の谷部位置で、隙間が形成されている請求項１乃至３の何れかに記載の耐圧振動吸収ホース。
【請求項６】
前記別の補強層は、補強糸を編組して構成され、かつ、編組角度が３０°乃至５４．４４°に設定されている請求項５に記載の耐圧振動吸収ホース。
【請求項７】
前記別の補強層は、ストレート筒形状に形成されている請求項５又は６に記載の耐圧振動吸収ホース。
【請求項８】
前記別の補強層の外側に更にカバー層が積層されている請求項５乃至７の何れかに記載の耐圧振動吸収ホース。
【請求項９】
破裂圧が１ＭＰａ以上である請求項１乃至８の何れかに記載の耐圧振動吸収ホース。
【請求項１０】
自動車のエンジンルーム内に配設される配管用ホースである請求項１乃至９の何れかに記載の耐圧振動吸収ホース。
【発明の詳細な説明】
【技術分野】
【０００１】
この発明は耐圧振動吸収ホースに関し、特に自動車のエンジンルーム内に配設される配管用ホースに適用して好適な耐圧振動吸収ホースに関する。
【背景技術】
【０００２】
従来より、筒状のゴム層を主体として構成されたホースが産業用、自動車用のホースとして各種用途に広く使用されている。
このようなホースを用いる主たる目的は振動を吸収することにある。
【０００３】
例えば自動車のエンジンルーム内に配設される配管用ホースの場合、エンジン振動やエアコンのコンプレッサ振動（冷媒輸送用ホース即ちエアコンホースの場合）、車両の走行に伴って発生する各種の振動をホース部分で吸収し、ホースを介して接続されている一方の部材から他方の部材へと振動が伝達されるのを抑制する役割りを担っている。
【０００４】
ところで産業用、自動車用を問わずオイル系、燃料系、水系、冷媒系ホースの構造は、例えば下記特許文献１に開示されているように内側ゴム層と外側ゴム層との中間に補強糸から成る補強層を有する構造をなしている。
【０００５】
図９（イ）は下記特許文献１に開示された冷媒輸送用ホース（エアコンホース）の構造を示したもので、図中符号２００は筒状の内側ゴム層で、その内側に樹脂内層２０２が積層形成されている。
内側ゴム層２００の外側には補強糸をスパイラル巻きして成る第１補強層２０４が、更にその外側に中間ゴム層２０６を介して補強糸を第１補強層２０４とは逆向きにスパイラル巻きして成る第２補強層２０８が積層され、そして最外層としてカバー層としての外側ゴム層２１０が積層された構造をなしている。
【０００６】
この例は補強糸をスパイラル編組又はスパイラル巻きして補強層を構成した例であるが、かかる補強層を、補強糸をブレード編組して構成することも行われている。
図９（ロ）はその例を示したもので、図中符号２１２は補強糸をブレード編組して成る補強層で、内側ゴム層２００と外側ゴム層２１０との間に形成されている。
尚内側ゴム層２００の更に内側には樹脂内層２０２が形成されている。
【０００７】
これらに示しているように、補強層を有する形態で従来提供されているホースは何れも内面，外面ともに軸方向又は長さ方向にストレート形状をなす直筒状のものである。
ところでこのような直筒状のホースの場合、良好な振動吸収性を確保するためには一定の長さを必要とする。
【０００８】
特に燃料系や水系等の低圧用のホースに比べてオイル系（例えばパワーステアリング用ホース）や冷媒系（冷媒輸送用ホース）等の高圧用のホースでは、ホース剛性が高い分、振動吸収、車室内への音、振動の伝播低減のための必要長さが長くなる。
例えば冷媒輸送用ホースの場合、その長さは、接続しなければならない直線距離が２００ｍｍであったとしても、一般的に３００〜６００ｍｍの長さのホースを用いて振動吸収、音、振動の伝播低減を行っている。
【０００９】
しかしながら、エンジンルーム内には各種の装置や部品が所狭しと組み込まれており、特に近年にあってはエンジンルームがますますコンパクト化されて来ており、そのような中でそこに配設されるホース長が長いと、他との干渉を避けるための配管設計やホース取付時の取り回しが大変な作業となり、しかも車種ごとにそれら配管設計や取り回しを工夫しなければならず、大きな負担となっている。
【００１０】
このようなことから、ホース長が短尺で良好に振動吸収することのできるホースの開発が求められている。
ホースにおける振動吸収性を確保しながらこれを短尺化する手段として、ホースを蛇腹形状化することが考えられる。
現に自動車の燃料系ホースにおいて蛇腹部を設ける点が下記特許文献２に開示されている。
【００１１】
図１０はこの特許文献２に開示された燃料系ホースを示したもので、図中符号２１３は筒状のゴム層、符号２１４はその内面に形成された樹脂内層である。
同図に示しているようにこの燃料系ホースにあっては蛇腹部２１６が設けてある。
従ってこの燃料系ホースの場合、蛇腹部２１６の可撓性に基づいて振動吸収することが可能である。
【００１２】
しかしながらこの例のホースはフィラーホースと称される、燃料給油口に用いられるものであり、耐圧性は特に求められないものであって、その破裂圧は１ＭＰａ未満のものである。
従ってこのようなホースの構造を耐圧性の求められるホースにそのまま適用することはできない。
【００１３】
このような蛇腹部を有するホースに耐圧性を付与する手段として、補強効果の大きい補強層を設けることが考えられるが、蛇腹部を有するホースの補強層としては、例えば、蛇腹部の山部や谷部を均等に補強できるものであることが求められる。蛇腹部の山部と谷部とが均等に補強されていないと、ホースに内圧が付加された場合、補強の弱い箇所がより破断し易く、補強の弱い部分により耐圧性が決ってしまうからである。
また蛇腹部の本来有する可撓性を減殺するものであってはならず、更にゴム層の外面側に容易且つ良好に補強層を形成できるものでなければならない。
【００１４】
【特許文献１】特開平７−６８６５９号公報
【特許文献２】特開２００１−７４１７４号公報
【発明の開示】
【発明が解決しようとする課題】
【００１５】
本発明はこのような事情を背景とし、耐圧性と振動吸収性とに優れ、ホース長を短尺化することのできる耐圧振動吸収ホースを提供することを目的としてなされたものである。
【課題を解決するための手段】
【００１６】
而して本発明の耐圧振動吸収ホースは、蛇腹形状（例えば蛇腹部）を有する筒状のゴム層の外面側に、補強糸を該蛇腹形状に沿って編組し、該蛇腹形状に対応した成形形状を有する耐圧用補強層を積層することにより構成されることを特徴とする（請求項１）。蛇腹形状は、隣り合う山部と山部、隣り合う谷部と谷部がそれぞれ分離独立しているものとして形成されるが、螺旋状に連続したものとして形成することもできる。
【００１７】
請求項２のものは、請求項１において、前記耐圧用補強層が前記補強糸をブレード編組して形成したものであることを特徴とする。
【００１８】
請求項３のものは、請求項１又は２において、前記耐圧用補強層が、前記補強糸を隙間なく編組したことにより、前記ゴム層が見えないように形成されていることを特徴とする。すなわち、例えば、耐圧用補強層が、補強糸を密着して編組したことにより、目が潰れた状態（密度１００％の状態）で形成されている。
【００１９】
請求項４のものは、請求項１乃至３の何れかにおいて、前記耐圧用補強層の外側に更にカバー層が積層されていることを特徴とする。
【００２０】
請求項５のものは、請求項１乃至３の何れかにおいて、前記耐圧用補強層の外側に積層された別の補強層をさらに有し、前記別の補強層及び前記耐圧用補強層の間には、前記蛇腹形状の谷部位置で、隙間が形成されていることを特徴とする。
【００２１】
請求項６のものは、請求項５において、前記別の補強層が、前記補強糸を編組して形成され、かつ、編組角度を３０°乃至５４．４４°あるいは静止角としていることを特徴とする。
【００２２】
請求項７のものは、請求項５又は６において、前記別の補強層が、ストレート筒形状又は直筒状に形成されていることを特徴とする。
【００２３】
請求項８のものは、請求項５乃至７の何れかにおいて、前記別の補強層の外側に更にカバー層が積層されていることを特徴とする。
【００２４】
請求項９のものは、請求項１乃至８の何れかにおいて、破裂圧が１ＭＰａ以上であることを特徴とする。
【００２５】
請求項１０のものは、請求項１乃至９の何れかにおいて、耐圧振動吸収ホースが、自動車のエンジンルーム内に配設される配管用ホースであることを特徴とする。
【発明の効果】
【００２６】
以上のように本発明は、蛇腹形状あるいは蛇腹部を有する筒状のゴム層の外面側に、補強糸を蛇腹形状に沿って編組し、蛇腹形状に対応した成形形状の耐圧用補強層を積層することにより耐圧振動吸収ホースを構成したものである。
【００２７】
本発明によれば、蛇腹形状によってホースの良好な可撓性を確保することができる。従ってホース長を短尺化した場合においても良好な振動吸収性を確保することができる。
即ち本発明によれば、ホースの良好な振動吸収性を確保しつつホース長を短くすることができ、これにより特に自動車のエンジンルーム内に配設される配管用ホースにおいて、とりわけ耐圧性の要求される配管用ホースにおいて、課題となっている配管設計やホース取付時の取り回しの問題を解決することが可能となる。
更にホース長の短尺化が可能となることによって配管の際のレイアウトの自由度が高まる利点も得られる。
【００２８】
また本発明によれば、補強糸を蛇腹形状に沿って編組して成る耐圧用補強層により良好な耐圧性をホースに付与することができる。
即ち本発明によれば優れた振動吸収性と耐圧性との両特性を確保することができる。
【００２９】
加えて本発明ではその耐圧用補強層が、補強糸を蛇腹形状に沿って編組することにより形成されるため、良好な蛇腹形で耐圧用補強層をゴム層の外面側に成形することができる。
例えば補強糸を予め編組して成る布を内側のゴム層の外面側に巻き付けて耐圧用補強層を形成するといったことも考えられるが、この場合には布を蛇腹形状に沿って変形させなければならず、谷部や山部でしわや弛み等が発生し易い。
しかるに本発明では補強糸を蛇腹形状に沿って編組して耐圧用補強層を形成しているため、例えば、蛇腹形状あるいは蛇腹部における山部も谷部も均等に補強することができるとともに、耐圧用補強層を設けることによって蛇腹形状あるいは蛇腹部の本来有する可撓性を大きく損うといった問題も生じない。
【００３０】
しかも補強糸を蛇腹形状に沿って編組して耐圧用補強層を形成する場合には、補強布を巻き付けて耐圧用補強層を形成するような場合と異なって、耐圧用補強層を周方向にも、また長手方向にも継目のない連続した形で形成できるため、耐圧用補強層によるホースの耐圧性を効果的に高めることができる。
またホース製造に際しても耐圧用補強層を容易に形成することができ、ホースの製造コストを安価に抑えることができる。
【００３１】
ここで上記耐圧用補強層は補強糸をスパイラル編組又はスパイラル巻き、ニット編組して形成することができるが、特に補強糸をブレード編組して形成するのが好適である（請求項２）。
その編組の際、例えば引き取り速度を制御することにより、蛇腹部における山部と谷部とにおいてあるいは蛇腹部全体において編組角度がほぼ等しくなるようにすることが望ましい。
編組角度が静止角（５４．４４°）より大きいと耐圧用補強層及びホースが長手方向に伸びようとし、編組角度が静止角より小さいと耐圧用補強層及びホースが径方向に伸びようとする。より一般的には、編組角度が異なるとホースの挙動が変化する。したがって、山部と谷部とにおいて編組角度がほぼ等しくなっていない場合は山部と谷部とでホースの挙動が異なるため、耐圧性が低下するおそれがあるからである。
【００３２】
尚、スパイラル編組又はスパイラル巻きから成る補強層は、一方向に補強糸をスパイラル巻きして成る第１層と、その逆方向に補強糸をスパイラル巻きして成る第２層とで構成することができる。
またニット編組は、編目が周方向に繋がったものでも、軸方向又は長さ方向に繋がったものでも良く、何れにしても伸縮性に優れているため、蛇腹部を有するホースの柔軟性（可撓性）を損なわない特徴を有する。
【００３３】
ホースの耐破裂性は、一般的に、積層形成される耐圧用補強層により確保されるが、耐圧用補強層が、目の粗いものであったり、隙間を有するものであったりして、内側のゴム層が見えるような状態であると、ホースに内圧が作用したときに、内側のゴム層が、耐圧用補強層の目あるいは隙間内に膨らんで入り込むように変形し、その結果、ゴム層にピンホールが発生するおそれがある。このようなピンホールの発生は、ホースの破裂につながることとなるので、補強糸の本数を増やしたり、補強糸の撚り数を減らしたり、あるいは補強糸を太くしたりして、ゴム層が見えないように耐圧用補強層を形成し、すなわち、例えば、目が潰れ、隙間が無い状態で耐圧用補強層を形成し、ゴム層の入り込み変形が生じないように構成するのが好ましい。
【００３４】
ところで、耐圧を確保するため、耐圧用補強層は、ゴム層の蛇腹形状に沿うように形成されている一方、蛇腹形状の隣り合う山部と山部あるいは谷部と谷部の間隔を開きにくくする規制機能を十分に有していないので、ホースに内圧が加わると、蛇腹形状が伸びてホースが大きく伸び変形する可能性ある。そして、ホースの伸び変形が大きいと、ホースが配管経路上の周辺部品等と接触するおそれがあり、ホースが傷付き耐久性が低下する事態も発生してしまう。ホースの長さ変化又は伸びに対しては、ゴム層の硬さや肉厚を調整して対処することも可能であるが、ホースの可撓性を阻害しないように柔軟性とのバランスを考慮すると、耐圧用補強層とは別に、ホースの長さ方向への伸びを阻止するような補強層を設けておくのが好ましい。そこで、耐圧用補強層の外側に別の補強層をさらに積層し、別の補強層及び耐圧用補強層の間に、蛇腹形状の谷部位置で、隙間を形成しておき、耐圧用補強層とは異なる形状及び補強性能の別の補強層を形成するのが効果的である。このように構成することにより、ホースに内圧が作用したときにホースが長さ方向に大きく延びてしまい、周辺部品等に当接又は接触するといったことが効果的に防止される。
【００３５】
別の補強層は補強糸を編組して形成できる。耐圧用補強層は、加圧時の挙動が異ならないように編組角度を合わせることが好ましいが、編組角度自体は自由にあるいは比較的自由に設定できるものである。これに対して、別の補強層の編角度又は編組角度は、ホース長手方向の変位を抑制するために、長手方向に伸びにくい角度としておくのが効果的である。したがって、別の補強層の編組角度は静止角以下、望ましいのは、３０°乃至５４．４４°であることが適切である。
【００３６】
ホースの長さ方向への伸びを阻止するためには、別の補強層を、ストレート筒形状又は直筒状に構成することが得策である。
【００３７】
また、本発明の耐圧振動吸収ホースは、耐圧用補強層又は別の補強層の外側にカバー層を積層した形態で構成することができる。ここでカバー層は好適には外側ゴム層から成るものとすることができる。
本発明は、破裂圧が１ＭＰａ以上の耐圧性が求められるホースに適用して特に効果が大なるものである。
更に本発明は自動車のエンジンルーム内に配設される配管用ホースに適用して特に大なる効果を奏する。
【発明を実施するための最良の形態】
【００３８】
次に本発明の実施形態を図面に基づいて説明する。
図１及び図２において、１０は例えば冷媒輸送用ホース（エアコンホース）等として用いられる第１の耐圧振動吸収ホース（以下単に第１のホースとする）で、そのほぼ全体を成す蛇腹部１２と直筒状の端部１４とを有している。
この第１のホース１０は、筒状の内側ゴム層（内側ゴム弾性材層）１６（ゴム層）と、その外側の耐圧用補強層１８と、最外層のカバー層としての外側ゴム層（外側ゴム弾性材層）２０との積層構造をなしている。
【００３９】
この第１のホース１０において、耐圧用補強層１８は筒状をなす内側ゴム層１６の外面に沿って、詳しくは両端部１４、１４の直筒形状及びそれらの間の蛇腹形状に沿って補強糸２８（図３参照）をブレード編組して構成したもので、かかる耐圧用補強層１８は、両端部１４においては直筒状に、またそれらの間の蛇腹部１２においてはその蛇腹形状に対応した形状で成形されている。
そしてこの耐圧用補強層１８は、その全体が内側ゴム層１６の外面に密着状態でその外側に積層されている。
【００４０】
この第１のホース１０において、内側ゴム層１６としてはＩＩＲ、ハロゲン化−ＩＩＲ（Ｃｌ−ＩＩＲ、Ｂｒ−ＩＩＲ）、ＮＢＲ、ＣＲ、ＥＰＤＭ、ＥＰＭ、ＦＫＭ、ＥＣＯ、シリコンゴム、ウレタンゴム、アクリルゴム等を用いることができる。
【００４１】
また耐圧用補強層１８を構成する補強糸２８としてＰＥＴ、ＰＥＮ、アラミド、ＰＡ（ポリアミドあるいはナイロン）、ビニロン、レーヨン、金属ワイヤ等を用いることができる。
【００４２】
また外側ゴム層２０として、上記内側ゴム層１６で列挙した各種ゴム材を用いることができるが、それ以外にも熱収縮チューブやＴＰＥ（熱可塑性エラストマー）あるいはＴＰＥチューブを使用することも可能で、材質としてはアクリル系、スチレン系、オレフィン系、ジオレフィン系、塩化ビニル系、ウレタン系、エステル系、アミド系、フッ素系等を用いることができる。
尚この例において第１のホース１０は内径が５ｍｍ〜５０ｍｍ程度のものである。
【００４３】
ここで内側ゴム層１６は、内部を流通する流体に応じて適宜の材料を選択して用いることができる。
但しＨＦＣ系冷媒輸送用ホースの場合には、特にＩＩＲ，ハロゲン化−ＩＩＲの単独材又はブレンド材が好ましい。外側ゴム層２０も同様である。
【００４４】
図１及び図２に示す第１のホース１０は、例えば次のようにして製造することができる。
即ち先ずインジェクション成形，ブロー成形等により蛇腹部を有する内側ゴム層１６を成形する。
【００４５】
そして図３に示すように長尺のマンドレル（例えば樹脂マンドレル）２１に上記で成形した内側ゴム層１６を外挿する。
そしてその状態でマンドレル２１を図３に示すブレード編組装置２２の中心孔に通して、これを送りながら内側ゴム層１６の外面に補強糸２８を編組して行く。
【００４６】
このブレード編組装置２２は、円盤状のデッキ板２４と、このデッキ盤２４の円周に沿って複数対設けられた互いに対をなすキャリヤ２６Ａ、２６Ｂと、を有しており、互いに対をなすキャリヤ２６Ａ、２６Ｂが８の字状に交叉しつつ、デッキ板２４をその中心回りに周回運動させることで、補強糸２８を内側ゴム層１６の外面にブレード編組して行く。
尚このブレード編組の際、蛇腹部１２における山部と谷部とにおいて編組角度がほぼ等しくなるように引き取り速度を制御する。
【００４７】
以上のようにして内側ゴム層１６の外面に補強糸２８をブレード編組して成る耐圧用補強層１８を積層成形したところで、続いてこれを連続的に外側ゴム層２０用のディッピング液にディッピングして、その外側に外側ゴム層２０をコーティング形成する。
そして次にこれを乾燥炉に装入して乾燥させる。
【００４８】
その後マンドレル２１を抜き取り、更にその後例えば長尺の成形品を切断することで図１及び図２に示す第１のホース１０が得られる。
尚これはあくまで第１のホース１０の一製造例で、他の製造方法で製造することも可能である。
【００４９】
以上のような本形態の第１のホース１０によれば、蛇腹部１２によって第１のホース１０の良好な可撓性を確保することができ、従ってホース長を短尺化した場合においても良好な振動吸収性を確保することができる。
即ち第１のホース１０による良好な振動吸収性を確保しつつホース長を短くできるのであり、これにより自動車のエンジンルーム内における配管設計やホース取付時の取り回しの問題を解決することができる。
【００５０】
更にホース長の短尺化が可能となることによって配管の際のレイアウトの自由度も高まる。
加えて蛇腹形状に沿って補強糸２８を編組して成る耐圧用補強層１８により良好な耐圧性を確保することができる。
【００５１】
また本形態では、耐圧用補強層１８を蛇腹形状に良好に積層成形し得て、蛇腹部１２における山部も谷部も均等に補強することができるため、第１のホース１０に内圧が付加された場合においても、補強の弱い箇所が破断し耐圧性が低下するといったことがないとともに、耐圧用補強層１８が内側ゴム層１６の蛇腹部（蛇腹部１２）に沿った蛇腹形状に成形されることから、耐圧用補強層１８を設けることによって蛇腹部の本来有する可撓性が大きく損われるといった問題も生じない。
【００５２】
しかもその耐圧用補強層１８は周方向にも、また長手方向にも継目のない連続した形で構成できるため、耐圧用補強層１８による第１のホース１０の耐圧性も高めることができる。
また第１のホース１０の製造に際しても耐圧用補強層１８を容易に形成することができ、第１のホース１０の製造コストを安価に抑えることができる。
【００５３】
図４、図５及び図６において、３０は例えば冷媒輸送用ホース（エアコンホース）等として用いられる第２の耐圧振動吸収ホース（以下単に第２のホースとする）で、第１のホース１０の耐圧用補強層１８の外側の積層構造を変更したものである。したがって、第１のホース１０と同一構成の部分（第１のホース１０と同一の符号を付しておくのが発明を理解する上で好ましい部分を含む）には、概略的に同一の符号を付し、また、説明を省略する場合がある。  
【００５４】
第２のホース３０では、耐圧用補強層１８の外面に、外側ゴム層（外側ゴム弾性材層）２０は積層されず、代わりに、別の補強層３２が積層されている。この別の補強層３２は、ほぼストレート筒形状に形成されていて、耐圧用補強層１８の山部（山部頂き）と接触し、例えばこの山部と密着し、耐圧用補強層１８の谷部と隙間をあけた状態で、耐圧用補強層１８を覆って延びている（図５の拡大図部分参照）。別の補強層３２は、両端部３４で、内側ゴム層１６及び耐圧用補強層１８の直筒状の端部１４に密着するように、小径筒状に形成され、中間部３６で、内側ゴム層１６及び耐圧用補強層１８のほぼ全体を成す蛇腹形状（蛇腹部１２）の山部に密着するように、大径筒状に形成されていて、直筒状の端部１４から蛇腹形状の端の山部にかけての拡径部３８に密着するようにそれぞれの端部３４と中間部３６との境界部分が拡径して形成されている。
この第２のホース３０ではまた、別の補強層３２の外側に、最外層のカバー層としての外側ゴム層（外側ゴム弾性材層）４０が積層されている。
【００５５】
この第２のホース３０において、耐圧用補強層１８は、第１のホース１０の場合と同様にして、補強糸２８をブレード編組して構成されている。
【００５６】
別の補強層３２も、補強糸２８をブレード編組して構成することができるが、補強糸２８と材質等が異なる補強糸を用いることができる。
【００５７】
また、外側ゴム層４０としては、第１のホース１０の外側ゴム層２０に用いるゴム材、熱収縮チューブやＴＰＥあるいはＴＰＥチューブを使用することが可能である。
尚、この例においても第２のホース３０は内径が５ｍｍ〜５０ｍｍ程度のものである。
【００５８】
図４、図５及び図６に示す第２のホース３０は、例えば次のようにして製造することができる。
即ち、第１のホース１０の場合と同様に、内側ゴム層１６を構成し、ブレード編組装置２２を用いて内側ゴム層１６の外面に補強糸２８をブレード編組し、耐圧用補強層１８を積層成形する。
【００５９】
次に、ブレード編組装置２２を用い、補強糸２８をブレード編組しながら、耐圧用補強層１８の外側に、別の補強層３２を構成したところで、続いてこれを連続的に外側ゴム層４０用のディッピング液にディッピングして、その外側に外側ゴム層４０をコーティング形成する。
そして次にこれを乾燥炉に装入して乾燥させる。なお、外側ゴム層４０を設けないでおくこともできる。
【００６０】
その後マンドレル２１を抜き取り、更にその後例えば長尺の成形品を切断することで図４、図５及び図６に示す第２のホース３０が得られる。
尚これはあくまで第２のホース３０の一製造例で、他の製造方法で製造することも可能である。
【００６１】
以上のような本形態の第２のホース３０によれば、第１のホース１０と同様の効果又はほぼ同様の効果を得ることができる。
【００６２】
更に、別の補強層３２の積層により、ホース長さ方向の伸びを効果的に抑制できる。
【００６３】
〔実施例〕
表１に示す各種構成のホースを製造し、長さ変化率、破裂圧（耐圧性）及びインパルス耐久性を測定した。また、実施例１及び比較例Ａのホースについて振動吸収性を測定した。
ここで表１において、長さ変化率は、長さαの各ホース内部に２．９ＭＰａの水圧を５分間かけたときのホース長さをβとして、（β−α）×１００／αで表される。また、インパルス耐久性は、油槽内の油温を１００℃に保持しながら、この油槽を通して、各ホース内部に０と２．９ＭＰａの間で油圧を繰り返し加えた場合のホースの状態を示している。第１補強層（第１のホース１０の実施例１及び第２のホース３０の実施例２では耐圧用補強層１８）及び第２補強層（別の補強層３２）の打込本数における３（４）本揃え×４８（２４）打とあるのは、１０００ｄｅ（デニール）又は２０００ｄｅの補強糸２８を３（４）本並べて４８（２４）個のキャリヤでブレード編組したことを表している。
【００６４】
比較例Ｂで、第１補強層の打込本数における２２本＋２２本とあるのは、３０００ｄｅの補強糸を中間ゴム層を挟んで内側に２２本、外側に２２本スパイラル編組（スパイラル巻き）したことを表している。
【００６５】
また破裂圧の数値は、各ホース内部に水圧をかけ、そして昇圧速度１６０ＭＰａ／分で昇圧し、破裂に到ったときの圧力を表している。
【００６６】
【表１】
2005315394.tif 000003
【００６７】
一方、振動吸収性については、図７に示す測定装置４２を用いて測定を行った。
詳しくは、実施例１のホース（第１のホース１０）、比較例Ａともにホースを測定装置４２にセットして、各端部を芯金４４で支持させ、そして加振装置４６でその一端側を加振して他端側で受振させるとともに、加振側の測定点Ｐ０で加振側加速度Ａ０を、受振側の測定点Ｐ１で受振側加速度Ａ１をそれぞれ測定し、それらに基づいて伝達関数を測定した。その結果が図８に示してある。
尚図７において４８はラバー、５０は箱形定盤である。
【００６８】
表１に示しているように実施例１のホースの場合、破裂圧が１７．９ＭＰａと耐圧性能において優れており、またホース長が比較例Ａのものに比べて大幅に短いにも拘わらず、図８の振動吸収性において優れた振動吸収特性を示している。また、実施例２のホース（第２のホース３０）の場合には、破裂圧が最低でも２９．６ＭＰａと、さらに優れた耐圧性能を有している。
【００６９】
実施例２のホースの場合、長さ変化率が最大でも１６％と、比較例Ｃ及び実施例１のホースよりも優れた伸び抵抗を有している。さらに、破裂圧が最低でも２９．６ＭＰａと、比較例及び実施例１のホースよりも優れた耐圧性能を有しており、加えて、インパルス耐久性が最低でも２４万回と、比較例Ｃ及び実施例１よりも優れている。
【００７０】
以上本発明の実施形態を詳述したがこれはあくまで一例示であり、本発明においては耐圧用補強層１８又は別の補強層３２をスパイラル編組又はスパイラル巻き、ニット編組して構成することも可能である。
ここでスパイラル編組又はスパイラル巻きは、補強糸２８を一方向にスパイラル巻きし（第１層）、またその逆方向に補強糸２８をスパイラル巻きして（第２層）構成することができる。                  
【図面の簡単な説明】
【００７１】
【図１】本発明の第１のホースを一部切り欠いて示す斜視図である。
【図２】第１のホースの断面図である。
【図３】第１のホースの一製造方法の要部工程を示す説明図である。
【図４】本発明の第２のホースを一部切り欠いて示す斜視図である。
【図５】第２のホースの長さ方向に沿った断面図である。
【図６】第２のホースの径方向に沿った断面図である。
【図７】実施例及び比較例のホースの振動吸収性の測定方法を測定装置とともに示す説明図である。
【図８】図７の測定方法により得られた振動吸収性を示す図である。
【図９】従来公知のホースの一例を示す図である。
【図１０】従来公知の図９とは異なるホースの例を示す図である。
【符号の説明】
【００７２】
１０        第１のホース
１２        蛇腹部
１６        内側ゴム層（ゴム層）
１８        耐圧用補強層
３０        第２のホース  
【図１】
2005315394.tif 000004
【図２】
2005315394.tif 000005
【図３】
2005315394.tif 000006
【図４】
2005315394.tif 000007
【図５】
2005315394.tif 000008
【図６】
2005315394.tif 000009
【図７】
2005315394.tif 000010
【図８】
2005315394.tif 000011
【図９】
2005315394.tif 000012
【図１０】
2005315394.tif 000013